(57)【要約】      （修正有）【課題】滑り台の調整方法が簡単化になり、且つ加工方法も容易になる。【解決手段】滑り台と底台との組付け状態を調整する高精度滑り台調整装置において、前記調整装置は一対の形状が同じな調整ブロック２３を有し、前記調整ブロックは、押さえ斜面２３１と当接側面２３２とをそれぞれ有し、二つの押さえ斜面の傾斜度が同じで互いに接触し、一対の前記調整ブロックは滑り台２１と底台２２との間に摺動可能に組み付けられ、うちの一つの前記調整ブロックの当接側面は滑り台と面接触し、なお、他の前記調整ブロックの当接側面は底台と面接触し、且つ二つの前記調整ブロックの当接側面は平行状態を呈することを特徴とする高精度滑り台調整装置。【選択図】図２
0003114898.tif 000002
【実用新案登録請求の範囲】
【請求項１】
滑り台と底台との組付け状態を調整する高精度滑り台調整装置において、
前記調整装置は一対の形状が同じな調整ブロックを有し、前記調整ブロックは、押さえ斜面と当接側面とをそれぞれ有し、二つの押さえ斜面の傾斜度が同じで互いに接触し、一対の前記調整ブロックは滑り台と底台との間に摺動可能に組み付けられ、うちの一つの前記調整ブロックの当接側面は滑り台と面接触し、なお、他の前記調整ブロックの当接側面は底台と面接触し、且つ二つの前記調整ブロックの当接側面は平行状態を呈することを特徴とする、
高精度滑り台調整装置。
【考案の詳細な説明】
【技術分野】
【０００１】
本考案は滑り台調整装置に係り、特に、高精度滑り台調整装置に関するものである。
【背景技術】
【０００２】
一般の滑り台は底台に摺動自在に組み付けられ、なお、底台の上で滑り台が順調に摺動できるようにするために、調整装置によって滑り台を調整することにより、滑り台と底台との合い状態を最高にすることが一般である。
【０００３】
図１に示すように、従来の滑り台の調整装置は、主に、一つの調整ブロック１１と、複数の調整ネジ１２とから構成され、前記調整ブロック１１は、立方体であり、滑り台１３と底台１４との間に取付けられ、その側面がそれぞれ滑り台１３と底台１４とに面接触し、なお、各調整ネジ１２は、底台１４にねじ込まれて設けてあり、その一端が滑り台１３の側面に押さえ、他端が底台１４の外側に露出し、他端によって調整ブロック１１を調整することができ、各調整ネジ１２を回転することにより、調整ブロック１１が調整ネジ１２に押さえられて少しずつ移動し、これにより、滑り台１３と底台１４との合い状態が最高になる。しかしながら、このような調整方法は熟練な作業者でないと調整ができなく、各調整ネジ１２の送りが異なると、調整ブロック１１の移動量が不平均になる恐れがある。
【０００４】
図２に示すように、従来の他の滑り台の調整装置は、主に、滑り台２１と底台２２との間に台形な調整ブロック２３を設け、且つ調整ブロック２３の斜面２３１が底台２２と面接触し、なお、斜面２３１の反対側の側面２３２が滑り台２１と面接触し、また、滑り台２１と底台２２との間には一つの調整ネジ２４が設けてあり、これにより、滑り台２１の移動方向に沿って調整ネジ２４を回転すると、調整ブロック２３全体が移動し、滑り台２１と底台２２との合いが最高になる。だから、このような調整方法は熟練な作業者が必要なくなる。しかしながら、これは次のような欠点があった。
【０００５】
（イ）調整ブロック２３と滑り台２２との接触は斜面で接触し、且つ調整ブロック２３と滑り台２２とは異なる構造であり、異なるロッドで加工されたので、調整ブロック２３と滑り台２２との傾斜度は同様にすることが難しくなり、これにより、両者の接触精度に悪影響が与えられる。
【０００６】
（ロ）調整ブロック２３と滑り台２２との斜面の接触精度を維持するために、多数回の修正が必要なので、加工が極めて複雑で不便である。
【考案の開示】
【考案が解決しようとする課題】
【０００７】
本考案の主な目的は、滑り台の調整方法が簡単化になる高精度滑り台調整装置を提供する。
【０００８】
本考案の次の目的は、加工方法が容易になる高精度滑り台調整装置を提供する。
【課題を解決するための手段】
【０００９】
上記目的を達成するためになされた本願の考案は、滑り台と底台との組付け状態を調整する高精度滑り台調整装置において、前記調整装置は一対の形状が同じな調整ブロックを有し、前記調整ブロックは、押さえ斜面と当接側面とをそれぞれ有し、二つの押さえ斜面の傾斜度が同じで互いに接触し、一対の前記調整ブロックは滑り台と底台との間に摺動可能に組み付けられ、うちの一つの前記調整ブロックの当接側面は滑り台と面接触し、なお、他の前記調整ブロックの当接側面は底台と面接触し、且つ二つの前記調整ブロックの当接側面は平行状態を呈することを特徴とする高精度滑り台調整装置であることを要旨としている。
【考案の効果】
【００１０】
本考案に係る高精度滑り台調整装置によれば、滑り台の調整方法が簡単化になり、且つ加工方法も容易になる。
【考案を実施するための最良の形態】
【００１１】
以下、添付図面を参照して本考案の好適な実施の形態を詳細に説明する。
【００１２】
まず、図３乃至図５を参照する。本考案に係る高精度滑り台調整装置は、滑り台３１と底台３２との合い状態を調整するためのものであり、底台３２には滑り溝３２１が設けてあり、滑り台３１が底台３２の滑り溝３２１に摺動自在に設けてあり、滑り台３１の一側面が底台３２の滑り溝３２１の壁面と接触し、その接触形態は、面接触でもいいし、歯形と歯形の接触でもよく、また、底台３２と滑り台３１とを組合した後、その上にカバープレート３３を設けてもいい。調整装置は、主に構造が同じな一対の調整ブロックから構成され、前記調整ブロックは第一調整ブロック４０と第二調整ブロック５０とを有し、第一調整ブロック４０と第二調整ブロック５０とは二つの調整組６０,７０によって調整する。
【００１３】
第一調整ブロック４０は、台形なブロックであり、押さえ斜面４１と当接側面４２とを有し、滑り台３１と底台３２との間に摺動自在に設けられ、且つ当接側面４２が滑り台３１の側面と面接触する。
【００１４】
第二調整ブロック５０は、その構造が第一調整ブロック４０と同じであり、台形なブロックであり、押さえ斜面５１と当接側面５２とを有し、押さえ斜面５１の傾斜度が第一調整ブロック４０の押さえ斜面４１と同様であり、滑り台３１と底台３２との間に摺動自在に設けられ、且つ当接側面５２が底台３２の滑り溝３２１の他の壁面と面接触し、なお、押さえ斜面５１が第一調整ブロック４０の押さえ斜面４１に当接し、これにより、当接側面５２と第一調整ブロック４０の当接側面４２とは平行状態になる。
【００１５】
二つの調整組６０,７０は、一組が一つの固定ブロック６１と二つの調整ネジ６２,６３とから構成され、他組が一つの固定ブロック７１と二つの調整ネジ７２,７３とから構成され、固定ブロック６１,７１が底台３２の両端面に固定され、なお、調整ネジ６２,６３,７２,７３は、固定ブロック６１,７１に調整可能に設けられ、第一調整ブロック４０と第二調整ブロック５０との端部を押さえ、これにより、第一調整ブロック４０と第二調整ブロック５０とが調整されて移動する。
【００１６】
次に、図５乃至図７を参照して、本考案の作動方式および効果を説明する。滑り台３１と底台３２との最高の組合状態に調整することは、滑り台３１と底台３２との間の隙間Ａを無くすことであり、詳細に説明すると、その調整方法は、二つの調整組６０,７０のうちの何れか一つの調整ネジ６３,７３を緩め、且つ調整ネジ６３,７３が同一の調整ブロックの端部に当接し、本実施例では第二調整ブロック５０を例にして説明し、だから、調整ネジ７３を回転して第二調整ブロック５０を滑り台３１の摺動方向に沿って移動させ、そうすると、第二調整ブロック５０が第一調整ブロック４０を押さえて第一調整ブロック４０が平行形態で移動し、すなわち、第一調整ブロック４０の当接側面４２と第二調整ブロック５０の当接側面５２との間の距離が増加になり、ひいては滑り台３１が押さえられ、これにより、滑り台３１と底台３２との合い状態が最高になり、だから、本考案によれば、熟練な作業者がいなくても、調整作業を実施することができ、調整作業が簡単化になる。
【００１７】
また、第一調整ブロックと第二調整ブロックとは、形状が同様なものであるので、同一のロッドで加工することができ、且つ加工された押さえ斜面の傾斜度が同様であるので、区別しなくて取付けることが可能になり、且つ第一調整ブロックと第二調整ブロックとを組付けた後、押さえ斜面が互いに当接するときに高精度な接触が保持でき、且つ第一調整ブロックと第二調整ブロックとの当接側面が平行状態に維持し、だから、第一調整ブロックと第二調整ブロックとの置換が可能になり、作製が簡単化になる。
【００１８】
また、第一調整ブロックと第二調整ブロックとは、形状が同様なものであるので、滑り台と底台とに取付ける形態によって、第一調整ブロックと第二調整ブロックとの押さえ斜面と当接側面との成形形態を同時に変更することができ、だが、もっとも重要なのは、二つの調整ブロックを組合った後、その押さえ斜面が同様な傾斜度で合うので、その当接側面が平行状態を呈する。
【００１９】
最後に、図８を参照する。本考案では、底台３２と滑り台３１との間に構造が同様な第一、二調整ブロック４０,５０が設けてあり、且つ底台３２と滑り台３１との間に第一、二調整ブロック４０,５０が摺動可能であるので、本考案によれば、第一、二調整ブロック４０,５０に対して調整することができ、だから、二方向調整可能なメリットがあり、その調整量が２倍になり、ひいては調整余裕度が増加になる。
【図面の簡単な説明】
【００２０】
【図１】従来の滑り台調整装置を滑り台と底台とに組み付けた状態を示す概略図である。
【図２】従来の他の滑り台調整装置を滑り台と底台とに組み付けた状態を示す概略図である。
【図３】本考案の分解斜視図である。
【図４】本考案の組合状態を示す概略図である。
【図５】本考案の断面図である。
【図６】図５の一部の拡大図である。
【図７】本考案を調整した状態を示す概略図である。
【図８】本考案の第一調整ブロックと第二調整ブロックとに対して同時に調整を実施することを示す概略図である。
【符号の説明】
【００２１】
１１      調整ブロック            １２      調整ネジ
１        滑り台                  １４      底台
２１      滑り台                  ２２      底台
２３      調整ブロック            ２３１    斜面
２３２    側面                    ２４      調整ネジ
３１      滑り台                  ３２      底台
３２１    滑り溝                  ３３      カバープレート
４０      第一調整ブロック        ４１      押さえ斜面
４２      当接側面
５０      第二調整ブロック        ５１      押さえ斜面
５２      当接側面
６０      調整組                  ６１      固定ブロック
６２      調整ネジ                ６３      調整ネジ
７０      調整組                  ７１      固定ブロック
７２      調整ネジ                ７３      調整ネジ
Ａ        隙間
【図１】
0003114898.tif 000003
【図２】
0003114898.tif 000004
【図３】
0003114898.tif 000005
【図４】
0003114898.tif 000006
【図５】
0003114898.tif 000007
【図６】
0003114898.tif 000008
【図７】
0003114898.tif 000009
【図８】
0003114898.tif 000010